(57)【要約】【課題】ピアスやイヤリングを多数掛け並べて、直接見たり手を触れることができる状態のままで、小スペースに保存することを可能とする。【解決手段】ピアスやイヤリングを掛け並べて、直接見たり手に触れることができる状態のままで保存するための掛け穴を多数有するプレートと、このプレートを立てた状態に支持するベースとで構成される簡素なピアス・イヤリング掛けとする。【選択図】図１
0003152849.tif 000002
【実用新案登録請求の範囲】
【請求項１】
ピアスやイヤリングを掛け並べて、直接見たり手に触れることができる状態のままで保存するためのピアス・イヤリング掛けであって、掛け穴を多数有するプレートと、このプレートを立てた状態に支持するベースとで構成されていることを特徴とするピアス・イヤリング掛け。
【請求項２】
掛け穴は、角形の下部に下向きの丸みを持たせた形とした請求項1に記載のピアス・イヤリング掛け。
【請求項３】
掛け穴のサイズは縦長とした請求項１または請求項２に記載のピアス・イヤリング掛け。
【請求項４】
掛け穴は千鳥状に配置されていることを特徴とする請求項１から請求項３のいずれかに記載のピアス・イヤリング掛け。
【請求項５】
ベースは、ふたなしケースであることを特徴とする請求項１から請求項４のいずれか１項に記載のピアス・イヤリング掛け。
【請求項６】
ベースは、平板であることを特徴とする請求項１から請求項４のいずれか１項に記載のピアス・イヤリング掛け。
【考案の詳細な説明】
【技術分野】
【０００１】
本考案は、ピアスやイヤリングを多数掛け並べて小スペースに保存するためのピアス・イヤリング掛けに関するものである。
【背景技術】
【０００２】
従来のピアスやイヤリングの保存具は入れ物、又は、ピアスやイヤリングの収納部分が付いたアクセサリの収容具である。
【先行技術文献】
【特許文献】
【０００３】
【特許文献１】実開平０６−０７２４１１号公報
【考案の概要】
【考案が解決しようとする課題】
【０００４】
従来の入れ物は単に入れるだけのものであり、収容具式のものはピアスやイヤリング以外のアクセサリも収容するので、簡素ではなく、また使用時に希望するものを選び出すのに手間がかかる点である。
【課題を解決するための手段】
【０００５】
本考案は、ピアスやイヤリングを掛け並べて、直接見たり手に触れることができる状態のままで小スペースに保存するためのピアス・イヤリング掛けであって、掛け穴を多数有するプレートと、このプレートを立てた状態に支持するベースとで構成されていることを最も主要な特徴とする。
【考案の効果】
【０００６】
本考案のピアス・イヤリング掛けは、適宜に掛け並べたピアスやイヤリングを直接見たり手に触れることができる状態のままで保存するので、開け閉めのためのスペースが不要であり、手間がかからず、手軽に掛け入れ・掛け外しができ、また使用時に希望するものを選びやすいという利点がある。
また、掛け穴を有するプレートを立てた状態に支持するベースが浅いふたなしケースであれば、ピアスやイヤリングをケース内に簡単に置くことができ、ベースが平板であれば、このベースを他の物の下に差し入れることで置き場所を取らずに使用できるという利点もある。
【図面の簡単な説明】
【０００７】
【図１】ピアス・イヤリング掛けＸにピアスを掛けた場合の使用例を示した説明図である。（実施例１）
【図２】同ピアス・イヤリング掛けＸにおけるプレートＰ１を示した説明図である。（実施例１）
【図３】同ピアス・イヤリング掛けＸにおけるベースＢ１を示した説明図である。（実施例１）
【図４】ピアス・イヤリング掛けＹにイヤリングを掛けた場合の使用例を示した説明図である。（実施例２）
【図５】同ピアス・イヤリング掛けＹにおけるプレートＰ２を示した説明図である。（実施例２）
【図６】同ピアス・イヤリング掛けＹにおけるベースＢ２を示した説明図である。（実施例２）
【図７】ピアス・イヤリング掛けＺにイヤリングを掛けた場合の使用例を示した説明図である。（実施例３）
【図８】同ピアス・イヤリング掛けＺにおけるベースＢ３を示した説明図である。（実施例３）
【考案を実施するための形態】
【０００８】
ピアスやイヤリングを掛け並べて、直接見たり手に触れることができる状態のままで小スペースに保存するという目的を、ピアスやイヤリング専用の保存具として簡略にすることで実現した。
【実施例１】
【０００９】
図１は、本考案であるピアス・イヤリング掛けＸにピアスを掛けた場合の１実施例としての使用例を説明したものである。符号Ｐ１はピアス・イヤリング掛けＸにおけるプレートを示し、符号Ｂ１はプレートＰ１を立てた状態に支持するベースを示す。ピアス・イヤリング掛けＸはプレートＰ１とベースＢ１で構成されている。
【００１０】
図２は、図１に示したピアス・イヤリング掛けＸのプレートＰ１を説明したものである。符号Ｈ１．Ｈ２はピアスの掛け穴を示す。符号Ｅ１．Ｅ２はピアスに付いている耳への差し込み部分を示し、符号Ｅ３はピアスに付いている飾り部分の形状を示す。掛け穴Ｈ１は耳への差し込み部分Ｅ１．Ｅ２を有するピアスに使用され、掛け穴Ｈ２は飾り部分の形状Ｅ３を有するピアスに使用される。掛け穴Ｈ１．Ｈ２は、ピアスの一対を共に掛ける、一対の左右を片方ずつ別に掛ける、又は、何も掛けないで間隔とする使用の仕方がある。掛け穴Ｈ２はイヤリングにも使用される。
また、掛け穴Ｈ１．H2は、角形の下部に下向きの丸みを持たせた形であり、縦長のサイズになっている。そして、掛け穴Ｈ１は千鳥状に多数配置され、掛け穴Ｈ２はプレートＰ１の左右両側部に配置されている。
【００１１】
図3は、図1に示したピアス・イヤリング掛けＸのベースＢ１を説明したものである。ベースＢ１は、プレートＰ１の前後でふたなしの浅いケースになっている。
【００１２】
このように、プレートＰ１に掛け並べたピアスやイヤリングを直接見たり手に触れることができる状態のままで保存することで、開け閉めのためのスペースが不要であり、手間がかからず、手軽に掛け入れ・掛け外しができ、また使用時に希望するものを選ぶのにも便利である。
また、掛け穴Ｈ１．Ｈ２は、角形の下部に下向きの丸みを持たせた形なので、一対のピアスやイヤリングを掛け入れやすく、そして、掛け入れた一対のピアスやイヤリングが下中央に寄るため見易くまとまり、掛け外しが容易になる。
さらに、掛け穴Ｈ１．Ｈ２は縦長のサイズなので、掛け入れ・掛け外しの際に、手首を上下に動かしやすい効果がある。
また、掛け穴Ｈ１は千鳥状に配置しているので、重なりにくく沢山掛けることができ、掛け穴Ｈ２は両側部に配置しているので、掛け穴Ｈ２に掛けたピアスやイヤリングが及ぼす掛け穴Ｈ１への妨げが少なく、バランス良く掛けられるという効果もある。
また、ベースＢ１はプレートＰ１の前後でふたなしの浅いケースになっているので、ピアスやイヤリングを簡単に置くことや、掛け穴Ｈ１．Ｈ２に掛けた長いピアスの下部が入り込めるという利点がある。
【実施例２】
【００１３】
図4は、本考案であるピアス・イヤリング掛けＹにイヤリングを掛けた場合の１実施例としての使用例を説明したものである。符号Ｐ２はピアス・イヤリング掛けＹにおけるプレートを示し、符号Ｂ２はプレートＰ２を立てた状態に支持するベースを示す。ピアス・イヤリング掛けＹはプレートＰ２とベースＢ２で構成されている。
【００１４】
図5は、図4に示したピアス・イヤリング掛けＹのプレートＰ２を説明したものである。符号Ｈ３はイヤリングの掛け穴を示す。符号Ｅ４はピアスに付いている耳への差し込み部分を示し、符号Ｅ５はピアスの飾り部分の形状を示す。符号Ｅ４．Ｅ５は実施例１の図２で示した符号Ｅ１．Ｅ３と同じである。掛け穴Ｈ３は、イヤリングの一対を共に掛ける、一対の左右を片方ずつ別に掛ける、又は、何も掛けないで間隔とする使用の仕方がある。掛け穴Ｈ３は、耳への差し込み部分Ｅ４を有するピアスや飾り部分の形状Ｅ５を有するピアスにも使用される。
また、掛け穴Ｈ３は、角形の下部に下向きの丸みを持たせた形であり、縦長のサイズになっている。そして、掛け穴Ｈ３は千鳥状に多数配置されている。
【００１５】
図６は、図４に示したピアス・イヤリング掛けＹのベースＢ２を説明したものである。ベースＢ２は、プレートＰ２の後部でふたなしの浅いケースになっている。
【００１６】
このように、プレートＰ２に掛け並べたイヤリングやピアスを直接見たり手に触れることができる状態のままで保存することで、開け閉めのためのスペースが不要であり、手間がかからず、手軽に掛け入れ・掛け外しができ、また使用時に希望するものを選ぶのにも便利である。
また、掛け穴Ｈ３は、角形の下部に下向きの丸みを持たせた形なので、一対のイヤリングやピアスを掛け入れやすく、そして、掛け入れた一対のイヤリングやピアスが下中央に寄るため見易くまとまり、掛け外しが容易になる。
さらに、掛け穴Ｈ３は縦長のサイズなので、掛け入れ・掛け外しの際に手首を上下に動かしやすい効果がある。
また、掛け穴Ｈ３は千鳥状に配置しているので、重なりにくく沢山掛けることができるという効果もある。
また、ベースＢ３はプレートＰ２の後部でふたなしの浅いケースになっているので、大きなイヤリングやピアスも置くことができるという利点がある。
【実施例３】
【００１７】
図7は、本考案であるピアス・イヤリング掛けＺにイヤリングを掛けた場合の1実施例としての使用例を説明したものである。符号Ｐ３はピアス・イヤリング掛けＺに立つプレートを示す。プレートＰ３は実施例2に示したプレートＰ２と同じなので説明は省略する。符号Ｂ３はプレートＰ３を立てた状態に支持するベースＢ３を示す。ピアス・イヤリング掛けＺはプレートＰ３とベースＢ３で構成されている。
【００１８】
図８は、図７に示したピアス・イヤリング掛けＺのベースＢ３を説明したものである。プレートＰ３は実施例２の図５で説明したプレートＰ２と同じである。ベースＢ３はプレートＰ３の後部で平板になっている。
【００１９】
このように、プレートＰ３に掛け並べたイヤリングやピアスを直接見たり手に触れることができる状態のままで保存することで、開け閉めのためのスペースが不要であり、手間がかからず、手軽に掛け入れ・掛け外しができ、また使用時に希望するものを選ぶのにも便利である。
また、プレートＰ３は実施例２の図５に示したプレートＰ２と同じなので、この掛け穴の形や配置などにも同じ利点や効果がある。
また、ベースＢ３はプレートＰ３の後部で平板になっているので、ベースＢ３を他物の下に差し入れれば、ピアス・イヤリング掛けＺは置き場所を取らずに使用できるという利点がある。
【００２０】
なお、本考案には、以上の実施例１〜実施例３のほか、これらの実施例におけるプレートとベースを任意に入れ替えたものも含まれる。また、実施例で書いたサイズ・形・数・掛け穴の配置などは実施例１〜実施例３で示したものに限らない。
【産業上の利用可能性】
【００２１】
適宜に掛け並べたピアスやイヤリングを直接見たり手に触れることができる状態のままで小スペースに保存できるという手軽さが、個人などの利用につながる。
【符号の説明】
【００２２】
Ｘ．Ｙ．Ｚ    ピアス・イヤリング掛け
Ｐ１          ピアス・イヤリング掛けＸに立つプレート
Ｐ２          ピアス・イヤリング掛けＹに立つプレート
Ｐ３          ピアス・イヤリング掛けＺに立つプレート
Ｂ１          プレートＰ１を立てた状態に支持するベース
Ｂ２          プレートＰ２を立てた状態に支持するベース
Ｂ３          プレートＰ３を立てた状態に支持するベース
Ｈ１．Ｈ２    ピアスの掛け穴
Ｈ３          イヤリングの掛け穴
Ｅ１．Ｅ２．Ｅ４    ピアスに付いている耳への差し込み部分
Ｅ３．Ｅ５          ピアスに付いている飾り部分の形状
【図１】
0003152849.tif 000003
【図２】
0003152849.tif 000004
【図３】
0003152849.tif 000005
【図４】
0003152849.tif 000006
【図５】
0003152849.tif 000007
【図６】
0003152849.tif 000008
【図７】
0003152849.tif 000009
【図８】
0003152849.tif 000010